(57)【要約】【課題】補助容量線の電圧を変化させる際の電力消費量が少なく、補助容量線を所望の電圧まで変化させられる液晶表示装置を提供する。【解決手段】ｓｗ１Ｈ、ｓｗ１Ｈがローの期間Ｔ２、ｓｗ２Ｈ、ｓｗ２Ｈがローの期間Ｔ４では、Ｃｓ１、Ｃｓ２に対応する補助容量線が中間電圧になる。続いて、ｓｗ１Ｈがハイ、ｓｗ１Ｈがローの期間Ｔ３、ｓｗ２Ｈがロー、ｓｗ２Ｈがハイの期間Ｔ１では、各補助容量線が中間電圧からそれぞれ高電圧、低電圧になる。このように、期間Ｔ３、Ｔ１での電圧変化の幅が半減し、それにより電流も半減し、補助容量線の電圧を変化させる際の電力消費量を半減させることができる。しかも、高電圧配線、低電圧配線での電圧降下が半減し、例えば、能力の低い高電圧電源、低電圧電源を使用した場合であっても、補助容量線を所望の電圧まで変化させることができる。【選択図】図２
2009104050.tif 000002
【特許請求の範囲】
【請求項１】
アレイ基板、対向基板、前記アレイ基板と前記対向基板とに挟持された液晶層を有する液晶パネルと、
前記アレイ基板において予め定められた低電圧を出力する低電圧電源に接続されて低電圧が印加される低電圧配線と、
前記アレイ基板において前記低電圧より高い高電圧を出力する高電圧電源に接続されて高電圧が印加される高電圧配線と、
前記アレイ基板に形成された複数の走査線と、
前記走査線を駆動する走査線駆動回路と、
前記アレイ基板に形成され、前記走査線に交差する複数の信号線と、
前記信号線に映像信号を供給する信号線駆動回路と、
前記アレイ基板において前記走査線の１つと前記信号線の１つとが交差する交差箇所ごとに形成される画素トランジスタと、
前記アレイ基板において前記画素トランジスタごとに形成され、信号線に供給された映像信号が印加される画素電極と、
前記アレイ基板において前記走査線ごとに形成され、画素電極とで補助容量を構成する補助容量線と、
前記アレイ基板において前記補助容量線ごとに設けられ、補助容量線と前記低電圧配線の間ならびに補助容量線と前記高電圧配線との間を開閉する第１開閉回路と、
前記アレイ基板において２つの補助容量線ごとに設けられ、２つの補助容量線の間を開閉する第２開閉回路と、
を備えることを特徴とする液晶表示装置。
【請求項２】
アレイ基板、対向基板、前記アレイ基板と前記対向基板とに挟持された液晶層を有する液晶パネルと、
前記アレイ基板において予め定められた低電圧を出力する低電圧電源に接続されて低電圧が印加される低電圧配線と、
前記アレイ基板において前記低電圧より高い高電圧を出力する高電圧電源に接続されて高電圧が印加される高電圧配線と、
前記アレイ基板に形成された複数の走査線と、
前記走査線を駆動する走査線駆動回路と、
前記アレイ基板に形成され、前記走査線に交差する複数の信号線と、
前記信号線に映像信号を供給する信号線駆動回路と、
前記アレイ基板において前記走査線の１つと前記信号線の１つとが交差する交差箇所ごとに形成される画素トランジスタと、
前記アレイ基板において前記画素トランジスタごとに形成され、信号線に供給された映像信号が印加される画素電極と、
前記アレイ基板において前記走査線ごとに形成され、画素電極とで補助容量を構成する補助容量線と、
前記アレイ基板において前記補助容量線ごとに設けられ、補助容量線と前記低電圧配線の間ならびに補助容量線と前記高電圧配線との間を開閉する第１開閉回路と、
前記アレイ基板において前記各補助容量線の電圧を制御するために形成された制御容量と、
前記アレイ基板において前記補助容量線ごとに設けられ、補助容量線と前記制御容量の一方の電極の間を開閉する第２開閉回路と、
を備えることを特徴とする液晶表示装置。
【発明の詳細な説明】
【技術分野】
【０００１】
本発明は、補助容量線の電圧を変化させる際の電力消費量が少なく、補助容量線を所望の電圧まで変化させられる液晶表示装置に関するものである。
【背景技術】
【０００２】
液晶表示装置では、液晶に対して、常に同一方向に電圧を印加すると、液晶の焼付けが起きるため、液晶への電圧の印加方向（極性という）を反転させることがある。これを「極性反転駆動」という。極性反転駆動には、１画素（ドット）ごとに極性を切り替えるドット反転駆動、１ラインごとに極性を切り替えるライン反転駆動、１フレームごとに極性を切り替えるフレーム反転駆動などがある。
【０００３】
また、液晶表示装置では、液晶に印加された電圧を変化させることがある。例えば、補助容量線により画素に補助容量を構成した上で、補助容量線に電圧を印加する。このように、補助容量の容量結合により液晶の電圧を変化させる駆動方式は、「容量結合駆動」とよばれる。
【０００４】
特許文献１は、極性反転駆動と容量結合駆動を共に行う液晶表示装置を開示しており、液晶表示装置では、液晶の極性が正の場合には、補助容量線に高電圧を印加する一方、液晶の極性が負の場合には、補助容量線に低電圧を印加する。
【特許文献１】特開２００５−４９８４９公報
【発明の開示】
【発明が解決しようとする課題】
【０００５】
図５は、そのような液晶表示装置の構成を示す平面図である。
【０００６】
走査線Ｇごとに補助容量線ＣＳが形成される。補助容量線ＣＳは、走査線Ｇに画素トランジスタＱを介して接続された画素電極Ｐとで補助容量Ｃ１を構成する。低電圧配線ＶＬには、低電圧電源（図示せず）から出力された低電圧が印加される。高電圧配線ＶＨには、高電圧電源（図示せず）から出力された高電圧が印加される。各補助容量線ＣＳには第１開閉回路４が設けられる。
【０００７】
図６は、図５の液晶表示装置の動作を示すチャート図である。
【０００８】
チャートＧ１に対応する走査線Ｇについて設けられた補助容量線ＣＳを補助容量線ＣＳ１とすると、チャートｓｗ１Ｈは、補助容量線ＣＳ１と高電圧配線ＶＨの間を開閉する第１開閉回路４の部分が駆動されるタイミングを示し、チャートｓｗ１Ｌは、補助容量線ＣＳ１と低電圧配線ＶＬの間を開閉する第１開閉回路４の部分が駆動されるタイミングを示す。
【０００９】
チャートｓｗ１Ｈが低く（ロー）、チャートｓｗ１Ｌが高い（ハイ）期間（第１期間Ｔ１）においては、補助容量線ＣＳ１と低電圧配線ＶＬの間を開閉する第１開閉回路４の部分を閉じるとともに、補助容量線ＣＳ１と高電圧配線ＶＨの間を開閉する第１開閉回路４の部分を開くことで、補助容量線ＣＳ１を低電圧配線ＶＬに接続し、高電圧配線ＶＨから切り離す。
【００１０】
チャートｓｗ１Ｈがハイ、チャートｓｗ１Ｌがローの期間（第３期間Ｔ３）においては、補助容量線ＣＳ１と低電圧配線ＶＬの間を開閉する第１開閉回路４の部分を開くとともに、補助容量線ＣＳ１と高電圧配線ＶＨの間を開閉する第１開閉回路４の部分を閉じることで、補助容量線ＣＳ１を高電圧配線ＶＨに接続し、低電圧配線ＶＬから切り離す。
【００１１】
同様に、補助容量線ごとに、第１期間、第３期間が繰り返すように、補助容量線に設けられた第１開閉回路４を制御する。
【００１２】
チャートＣｓ１は、補助容量線ＣＳ１の電圧を示す。補助容量線ＣＳ１における第１期間Ｔ１では、補助容量線ＣＳ１の電圧が低電圧から高電圧に変化し、補助容量線ＣＳ１における第３期間Ｔ３では、補助容量線ＣＳ１の電圧が高電圧から低電圧に変化する。
【００１３】
その電圧変化の幅が大きいと、低電圧配線ＶＬ、高電圧配線ＶＨを流れる電流が大きくなる。そのため、補助容量線の電圧を変化させる際の電力消費量が大きくなるという問題が生じる。
【００１４】
また、その電流により、低電圧配線ＶＬ、高電圧配線ＶＨでの電圧降下が大きくなり、さらには、能力の低い低電圧電源、高電圧電源では出力電圧が低下し、これにより、補助容量線ＣＳを所望の電圧まで変化させられない虞がある。
【００１５】
本発明は、上記の課題に鑑みてなされたものであり、その目的とするところは、補助容量線の電圧を変化させる際の電力消費量が少なく、補助容量線を所望の電圧まで変化させられる液晶表示装置を提供することにある。
【課題を解決するための手段】
【００１６】
上記の課題を解決するために、第１の本発明に係る液晶表示装置は、アレイ基板、対向基板、前記アレイ基板と前記対向基板とに挟持された液晶層を有する液晶パネルと、前記アレイ基板において予め定められた低電圧を出力する低電圧電源に接続されて低電圧が印加される低電圧配線と、前記アレイ基板において前記低電圧より高い高電圧を出力する高電圧電源に接続されて高電圧が印加される高電圧配線と、前記アレイ基板に形成された複数の走査線と、前記走査線を駆動する走査線駆動回路と、前記アレイ基板に形成され、前記走査線に交差する複数の信号線と、前記信号線に映像信号を供給する信号線駆動回路と、前記アレイ基板において前記走査線の１つと前記信号線の１つとが交差する交差箇所ごとに形成される画素トランジスタと、前記アレイ基板において前記画素トランジスタごとに形成され、信号線に供給された映像信号が印加される画素電極と、前記アレイ基板において前記走査線ごとに形成され、画素電極とで補助容量を構成する補助容量線と、前記アレイ基板において前記補助容量線ごとに設けられ、補助容量線と前記低電圧配線の間ならびに補助容量線と前記高電圧配線との間を開閉する第１開閉回路と、前記アレイ基板において２つの補助容量線ごとに設けられ、２つの補助容量線の間を開閉する第２開閉回路とを備える。
【００１７】
第１の本発明に係る液晶表示装置によれば、補助容量線が低電圧配線に接続される第１期間、補助容量線が切り離される第２期間、補助容量線が高電圧配線に接続される第３期間、補助容量が切り離される第４期間が繰り返すようにし、２つの補助容量線の一方における第２期間でありかつ他方における第４期間である同一期間に限って、２つの補助容量線に設けられた第２開閉回路を閉じることで、かかる同一期間では、２つの補助容量線の一方が他方から電流を供給され、２つの補助容量線の電圧が、低電圧と高電圧の間の中間電圧になる。その後、一方の補助容量線の第３期間では補助容量線の電圧が中間電圧から高電圧になり、他方の補助容量線の第１期間では補助容量線の電圧が中間電圧から低電圧になる。すなわち、第１期間、第３期間において高電圧電源、低電圧電源によりなされる補助容量線での電圧変化の幅が半減し、それにより電流も半減し、補助容量線の電圧を変化させる際の電力消費量を半減させることができる。しかも、高電圧配線、低電圧配線での電圧降下が半減し、例えば、能力の低い高電圧電源、低電圧電源を使用した場合であっても、補助容量線を所望の電圧まで変化させることができる。
【００１８】
第２の本発明に係る液晶表示装置は、アレイ基板、対向基板、前記アレイ基板と前記対向基板とに挟持された液晶層を有する液晶パネルと、前記アレイ基板において予め定められた低電圧を出力する低電圧電源に接続されて低電圧が印加される低電圧配線と、前記アレイ基板において前記低電圧より高い高電圧を出力する高電圧電源に接続されて高電圧が印加される高電圧配線と、前記アレイ基板に形成された複数の走査線と、前記走査線を駆動する走査線駆動回路と、前記アレイ基板に形成され、前記走査線に交差する複数の信号線と、前記信号線に映像信号を供給する信号線駆動回路と、前記アレイ基板において前記走査線の１つと前記信号線の１つとが交差する交差箇所ごとに形成される画素トランジスタと、前記アレイ基板において前記画素トランジスタごとに形成され、信号線に供給された映像信号が印加される画素電極と、前記アレイ基板において前記走査線ごとに形成され、画素電極とで補助容量を構成する補助容量線と、前記アレイ基板において前記補助容量線ごとに設けられ、補助容量線と前記低電圧配線の間ならびに補助容量線と前記高電圧配線との間を開閉する第１開閉回路と、前記アレイ基板において前記各補助容量線の電圧を制御するために形成された制御容量と、前記アレイ基板において前記補助容量線ごとに設けられ、補助容量線と前記制御容量の一方の電極の間を開閉する第２開閉回路とを備える。
【００１９】
第２の本発明に係る液晶表示装置によれば、補助容量線が低電圧配線に接続される第１期間、補助容量線が切り離される第２期間、補助容量線が高電圧配線に接続される第３期間、補助容量が切り離される第４期間が繰り返すようにし、制御容量を設け、補助容量線と制御容量の一方の電極の間を開閉する第２開閉回路を設け、第２期間および第４期間に限って、第２開閉回路を閉じることで、第２期間または第４期間では、補助容量線が制御容量からまたは制御容量が補助容量線から電流を供給され、補助容量線の電圧が、低電圧と高電圧の間の中間電圧になる。その後の期間が第３期間であれば、補助容量線の電圧が中間電圧から高電圧になり、一方、第１期間であれば、補助容量線の電圧が中間電圧から低電圧になる。すなわち、第１期間、第３期間において高電圧電源、低電圧電源によりなされる補助容量線での電圧変化の幅が半減し、それにより電流も半減し、補助容量線の電圧を変化させる際の電力消費量を半減させることができる。しかも、高電圧配線、低電圧配線での電圧降下が半減し、例えば、能力の低い高電圧電源、低電圧電源を使用した場合であっても、補助容量線を所望の電圧まで変化させることができる。
【発明の効果】
【００２０】
第１の本発明に係る液晶表示装置によれば、補助容量線が低電圧配線に接続される第１期間、補助容量線が切り離される第２期間、補助容量線が高電圧配線に接続される第３期間、補助容量が切り離される第４期間が繰り返すようにし、第２開閉回路を、一方における第２期間と他方における第４期間とが同一期間となるような２つの補助容量線ごとに設け、２つの補助容量線の一方における第２期間でありかつ他方における第４期間である同一期間に限って、２つの補助容量線に設けられた第２開閉回路を閉じることで、補助容量線の電圧を変化させる際の電力消費量を半減でき、補助容量線を所望の電圧まで変化させることができる。
【００２１】
第２の本発明に係る液晶表示装置によれば、補助容量線が低電圧配線に接続される第１期間、補助容量線が切り離される第２期間、補助容量線が高電圧配線に接続される第３期間、補助容量が切り離される第４期間が繰り返すようにし、制御容量を設け、補助容量線と制御容量の一方の電極の間を開閉する第２開閉回路を設け、第２期間および第４期間に限って、第２開閉回路を閉じることで、補助容量線の電圧を変化させる際の電力消費量を半減でき、補助容量線を所望の電圧まで変化させることができる。
【発明を実施するための最良の形態】
【００２２】
以下、本発明の実施の形態を図面を参照して説明する。
【００２３】
［第１の実施の形態］
図１は、第１の実施の形態に係る液晶表示装置の構成を示す平面図である。
【００２４】
液晶表示装置は、ガラスなどの絶縁材料によりそれぞれ形成されたアレイ基板１１、対向基板１２、アレイ基板１１と対向基板１２とに挟持された液晶層（図示せず）を有する液晶パネル１と、アレイ基板１１に形成された低電圧配線ＶＬと、アレイ基板１１に形成された高電圧配線ＶＨと、アレイ基板１１に形成された複数の走査線Ｇと、走査線Ｇを駆動する走査線駆動回路２と、アレイ基板１１に形成され、走査線Ｇに交差する複数の信号線Ｓと、信号線Ｓに映像信号を供給する信号線駆動回路３と、アレイ基板１１において走査線の１つと信号線の１つとが交差する交差箇所ごとに形成される画素トランジスタＱと、アレイ基板１１において画素トランジスタＱごとに形成され、信号線Ｓに供給された映像信号が印加される画素電極Ｐと、アレイ基板１１において走査線Ｇごとに形成され、画素電極Ｐとで補助容量Ｃ１を構成する補助容量線ＣＳと、アレイ基板１１において補助容量線ＣＳごとに設けられ、補助容量線ＣＳと低電圧配線ＶＬの間ならびに補助容量線ＣＳと高電圧配線ＶＨとの間を開閉する第１開閉回路４と、アレイ基板１１において２つの補助容量線ＣＳごとに設けられ、２つの補助容量線ＣＳの間を開閉する第２開閉回路６とを備える。
【００２５】
液晶表示装置は、例えば、携帯電話機、携帯音楽プレーヤなどの携帯情報端末、テレビジョン放送の受像装置、コンピュータ用モニター装置の表示部に使用される。
【００２６】
走査線駆動回路２、信号線駆動回路３は、例えば、アレイ基板１１内に集積化される。
【００２７】
液晶パネル１とは別に、走査線駆動回路２と信号線駆動回路３を駆動する外部駆動回路９が設けられている。例えば、外部駆動回路９には、予め定められた低電圧を出力する低電圧電源（図示せず）が設けられ、低電圧配線ＶＬは、低電圧電源に接続されて低電圧が印加される。同様に、外部駆動回路９には、低電圧より高い高電圧を出力する高電圧電源（図示せず）が設けられ、高電圧配線ＶＨは、高電圧電源に接続されて高電圧が印加される。
【００２８】
画素トランジスタＱは、ｐ−Ｓｉ（ポリシリコン）形のＴＦＴ（Thin Film Transistor：薄膜トランジスタ）などであり、例えば、そのゲート電極、ソース電極およびドレイン電極が、それぞれ走査線Ｇ、信号線Ｓおよび画素電極Ｐに接続される。
【００２９】
補助容量線ＣＳと低電圧配線ＶＬの間を開閉する第１開閉回路４の部分、補助容量線ＣＳと高電圧配線ＶＨの間を開閉する第１開閉回路４の部分は、それぞれＴＦＴを使用したアナログスイッチなどで構成される。
【００３０】
画素電極Ｐは、隣り合う２走査線Ｇと、隣り合う２信号線Ｓとで囲まれた矩形領域に合わせた形状と大きさを有するものである。また、画素電極Ｐは、例えばＩＴＯ（Indium Tin Oxide：酸化インジウムスズ）などにより透明に構成される。画素電極Ｐは、例えばアルミニウムなどを材質とする不透明な層つまり外光を反射する層を有するものであってもよい。
【００３１】
対向基板１２には、画素電極Ｐの全てに対向する１つの対向電極８が形成され、対向電極８には、例えば一定の直流電圧が印加される。
【００３２】
画素電極Ｐと、画素電極Ｐに対向する対向電極８の部分と、この部分と画素電極Ｐとに挟持される液晶層の部分とで、液晶容量Ｃ２が構成される。
【００３３】
以下、図示しないが、暗所での画像表示を行う場合、液晶パネル１の背面には、ＬＥＤ（Light Emitting Diode）などから構成されるバックライト装置が配置される。
【００３４】
アレイ基板１１の背後面上には、位相差板と偏光板が取り付けられ、対向基板１２の手前面上にも、同様に、位相差板と偏光板が取り付けられる。
【００３５】
例えば、対向基板１２では、各画素電極Ｐに対向するように、赤、緑、青のいずれかの色のカラーフィルタ層が形成されて、液晶表示装置は、カラー表示可能に構成される。
【００３６】
図２は、図１の液晶表示装置の動作を示すチャート図である。
【００３７】
チャートＧ１〜Ｇ４は、最端の走査線Ｇから数えて４番目までの各走査線が駆動されるタイミングを示している。このように、走査線駆動回路２は、各走査線Ｇを順次走査し、これにより、走査線Ｇに接続された画素トランジスタＱが導通する。
【００３８】
一方、信号線駆動回路３は、各信号線Ｓに対し、表示しようとする画像に応じた映像信号を供給する。映像信号は、導通した画素トランジスタＱを介して、画素電極Ｐに印加される。
【００３９】
対向電極８には、上記のように、例えば一定の直流電圧が印加されるので、各液晶容量Ｃ２に電界が生じ、液晶層での電界強度の分布が、画像に応じたものとなる。この液晶層を、例えばバックライト装置からの光が通過することで、画像が表示される。また、液晶層を通過した光がカラーフィルタ層により着色され、画像がカラー表示される。
【００４０】
図２においては、チャートＧ１に対応する走査線Ｇについて設けられた補助容量線ＣＳを補助容量線ＣＳ１とすると、チャートｓｗ１Ｈは、補助容量線ＣＳ１と高電圧配線ＶＨの間を開閉する第１開閉回路４の部分が駆動されるタイミングを示し、チャートｓｗ１Ｌは、補助容量線ＣＳ１と低電圧配線ＶＬの間を開閉する第１開閉回路４の部分が駆動されるタイミングを示す。
【００４１】
チャートｓｗ１Ｈがロー、チャートｓｗ１Ｌがハイの期間（第１期間Ｔ１という）においては、補助容量線ＣＳ１と低電圧配線ＶＬの間を開閉する第１開閉回路４の部分を閉じるとともに、補助容量線ＣＳ１と高電圧配線ＶＨの間を開閉する第１開閉回路４の部分を開くことで、補助容量線ＣＳ１を低電圧配線ＶＬに接続し、高電圧配線ＶＨから切り離す。
【００４２】
続いて、チャートｓｗ１Ｈがロー、チャートｓｗ１Ｌもローである期間（第２期間Ｔ２という）においては、補助容量線ＣＳ１と低電圧配線ＶＬの間を開閉する第１開閉回路４の部分を開くとともに、補助容量線ＣＳ１と高電圧配線ＶＨの間を開閉する第１開閉回路４の部分を開くことで、補助容量線ＣＳ１を低電圧配線ＶＬと高電圧配線ＶＨの両方から切り離す。
【００４３】
続いて、チャートｓｗ１Ｌがローを、チャートｓｗ１Ｈがハイの期間（第３期間Ｔ３という）においては、補助容量線ＣＳ１と低電圧配線ＶＬの間を開閉する第１開閉回路４の部分を開くとともに、補助容量線ＣＳ１と高電圧配線ＶＨの間を開閉する第１開閉回路４の部分を閉じることで、補助容量線ＣＳ１を高電圧配線ＶＨに接続し、低電圧配線ＶＬから切り離す。
【００４４】
チャートＧ２に対応する走査線Ｇについて設けられた補助容量線ＣＳを補助容量線ＣＳ２とすると、チャートｓｗ２Ｈは、補助容量線ＣＳ２と高電圧配線ＶＨの間を開閉する第１開閉回路４の部分が駆動されるタイミングを示し、チャートｓｗ２Ｌは、補助容量線ＣＳ２と低電圧配線ＶＬの間を開閉する第１開閉回路４の部分が駆動されるタイミングを示す。
【００４５】
図示しないが、補助容量線ＣＳ２についても、第１期間および第２期間を設け、続いて、チャートｓｗ２Ｌがロー、チャートｓｗ２Ｈがハイの期間つまり補助容量線ＣＳ２についての第３期間Ｔ３においては、補助容量線ＣＳ２と低電圧配線ＶＬの間を開閉する第１開閉回路４の部分を開くとともに、補助容量線ＣＳ２と高電圧配線ＶＨの間を開閉する第１開閉回路４の部分を閉じることで、補助容量線ＣＳ２を高電圧配線ＶＨに接続し、低電圧配線ＶＬから切り離す。
【００４６】
続いて、チャートｓｗ２Ｈがロー、チャートｓｗ２Ｌもローである期間（第４期間Ｔ４という）においては、補助容量線ＣＳ２と低電圧配線ＶＬの間を開閉する第１開閉回路４の部分を開くとともに、補助容量線ＣＳ２と高電圧配線ＶＨの間を開閉する第１開閉回路４の部分を開くことで、補助容量線ＣＳ２を低電圧配線ＶＬと高電圧配線ＶＨの両方から切り離す。
【００４７】
続いて、補助容量線ＣＳ２について、第１期間を設ける。
【００４８】
チャートＧ３に対応する走査線Ｇについて設けられた補助容量線ＣＳを補助容量線ＣＳ３とすると、チャートｓｗ３Ｈは、補助容量線ＣＳ３と高電圧配線ＶＨの間を開閉する第１開閉回路４の部分が駆動されるタイミングを示し、チャートｓｗ３Ｌは、補助容量線ＣＳ３と低電圧配線ＶＬの間を開閉する第１開閉回路４の部分が駆動されるタイミングを示している。
【００４９】
チャートＧ４に対応する走査線Ｇについて設けられた補助容量線ＣＳを補助容量線ＣＳ４とすると、チャートｓｗ４Ｈは、補助容量線ＣＳ４と高電圧配線ＶＨの間を開閉する第１開閉回路４の部分が駆動されるタイミングを示し、チャートｓｗ４Ｌは、補助容量線ＣＳ４と低電圧配線ＶＬの間を開閉する第１開閉回路４の部分が駆動されるタイミングを示している。
【００５０】
このように、補助容量線ごとに、補助容量線が低電圧配線に接続される第１期間、補助容量線が低電圧配線と高電圧配線の両方から切り離される第２期間、補助容量線が高電圧配線に接続される第３期間、補助容量線が低電圧配線と高電圧配線の両方から切り離される第４期間が繰り返すように、補助容量線に設けられた第１開閉回路４を制御する。
【００５１】
チャートｓｗ１２は、補助容量線ＣＳ１と補助容量線ＣＳ２の間を開閉する第２開閉回路６が駆動されるタイミングを示す。
【００５２】
チャートｓｗ１２がハイになっている期間すなわち補助容量線ＣＳ１における第２期間Ｔ２でありかつ補助容量線ＣＳ２における第４期間Ｔ４である同一期間に限って、補助容量線ＣＳ１と補助容量線ＣＳ２の間を開閉する第２開閉回路６を閉じる。
【００５３】
チャートＣｓ１は、補助容量線ＣＳ１の電圧を示し、チャートＣｓ２は、補助容量線ＣＳ２の電圧を示す。
【００５４】
補助容量線ＣＳ１における第１期間Ｔ１でありかつ補助容量線ＣＳ２における第３期間Ｔ３である期間では、補助容量線ＣＳ１の電圧は低電圧であり、補助容量線ＣＳ２の電圧は高電圧である。
【００５５】
続く、前述の同一期間では、低電圧になっていた補助容量線ＣＳ１が、高電圧になっていた補助容量線ＣＳ１から電流を供給され、２つの補助容量線の電圧が、低電圧と高電圧の間の中間電圧になる。
【００５６】
続いて、補助容量線ＣＳ１における第３期間Ｔ３でありかつ補助容量線ＣＳ２における第１期間Ｔ１である期間では、高電圧電源が高電圧配線ＶＨを介して補助容量線ＣＳ１に電流を供給することにより、補助容量線ＣＳ１の電圧が中間電圧から高電圧になり、一方、低電圧電源が低電圧配線ＶＬを介して補助容量線ＣＳ２に電流（負値）を供給することにより、補助容量線ＣＳ２の電圧が中間電圧から低電圧になる。
【００５７】
すなわち、第１期間、第３期間において高電圧電源、低電圧電源によりなされる補助容量線での電圧変化の幅が半減するのである。
【００５８】
チャートｓｗ３４は、補助容量線ＣＳ３と補助容量線ＣＳ４の間を開閉する第２開閉回路６が駆動されるタイミングを示している。
【００５９】
また、チャートＣｓ３は、補助容量線ＣＳ３の電圧を示し、チャートＣｓ４は、補助容量線ＣＳ２の電圧を示している。
【００６０】
高電圧電源、低電圧電源によりなされる電圧変化の幅が半減することは、チャートＣｓ３、チャートＣｓ４からも明らかである。
【００６１】
したがって、第１の実施の形態によれば、高電圧電源、低電圧電源によりなされる補助容量線での電圧変化の幅が半減し、それにより電流も半減し、補助容量線の電圧を変化させる際の電力消費量を半減させることができる。しかも、高電圧配線、低電圧配線での電圧降下が半減し、例えば、能力の低い高電圧電源、低電圧電源を使用した場合であっても、補助容量線を所望の電圧まで変化させることができる。
【００６２】
［第２の実施の形態］
図３は、第２の実施の形態に係る液晶表示装置の構成を示す平面図である。
【００６３】
第２の実施の形態に係る液晶表示装置は、図１に示した第１の実施の形態に係る液晶表示装置と同様の構成を有するので、同一構成に同一符号を付与して、重複説明を省略し、主に相違点を説明する。
【００６４】
液晶表示装置は、液晶パネル１と、低電圧配線ＶＬと、高電圧配線ＶＨと、走査線Ｇと、走査線駆動回路２と、各信号線Ｓと、信号線駆動回路３と、各画素トランジスタＱと、各画素電極Ｐと、各補助容量線ＣＳと、各第１開閉回路４と、アレイ基板１１において各補助容量線ＣＳの電圧を制御するために形成された制御容量１０１と、アレイ基板１１において補助容量線ＣＳごとに設けられ、補助容量線ＣＳと制御容量１０１の一方の電極１０１Ｐの間を開閉する第２開閉回路１０２とを備える。制御容量１０１の他方の電極は、例えば、接地される。
【００６５】
第２制御回路１０３は、例えば、アレイ基板１１内に集積化され、走査線駆動回路２による制御によって動作する。
【００６６】
図４は、図３の液晶表示装置の動作を示すチャート図である。
【００６７】
チャートＧ１〜Ｇ４を参照して説明した画像表示の動作は、第１の実施の形態に係る液晶表示装置のものと同じなので、説明を省略する。
【００６８】
第１の実施の形態に係る液晶表示装置と同様に、第１制御回路５は、補助容量線ごとに、補助容量線が低電圧配線に接続される第１期間、補助容量線が低電圧配線と高電圧配線の両方から切り離される第２期間、補助容量線が高電圧配線に接続される第３期間、補助容量線が低電圧配線と高電圧配線の両方から切り離される第４期間が繰り返すように、補助容量線に設けられた第１開閉回路を制御する。
【００６９】
チャートｓｗ１Ｍは、補助容量線ＣＳ１と電極１０１Ｐの間を開閉する第２開閉回路１０２が駆動されるタイミングを示す。補助容量線ＣＳ１における第２期間Ｔ２および第４期間（補助容量線ＣＳ１のものは図示せず）に限って、第２開閉回路１０２を閉じる。
【００７０】
チャートＣｓ１は、補助容量線ＣＳ１の電圧を示す。補助容量線ＣＳ１における第１期間Ｔ１では、補助容量線ＣＳ１電圧は低電圧である。続く、第２期間Ｔ２では、低電圧になっていた補助容量線ＣＳ１が、制御容量１０１の電極１０１Ｐに接続される。
【００７１】
チャートｓｗ２Ｍは、補助容量線ＣＳ２と電極１０１Ｐの間を開閉する第２開閉回路１０２が駆動されるタイミングを示す。補助容量線ＣＳ２における第４期間Ｔ４および第２期間（補助容量線ＣＳ２のものは図示せず）に限って、第２開閉回路１０２を閉じる。
【００７２】
チャートＣｓ２は、補助容量線ＣＳ２の電圧を示す。補助容量線ＣＳ２における第３期間Ｔ３では、補助容量線ＣＳ２電圧は高電圧である。続く、第４期間Ｔ４では、高電圧になっていた補助容量線ＣＳ２が、制御容量１０１の電極１０１Ｐに接続される。
【００７３】
こうして、低電圧になっていた補助容量線ＣＳに電極１０１Ｐが接続される期間と、高電圧になっていた補助容量線ＣＳに電極１０１Ｐが接続される期間とが繰り返すので、電極１０１Ｐの電圧は、低電圧と高電圧の間の中間電圧になる。
【００７４】
電極１０１Ｐの電圧が中間電圧になると、補助容量線ＣＳ１における第２期間Ｔ２では、低電圧になっていた補助容量線ＣＳ１が、中間電圧になった電極１０１Ｐをもつ制御容量１０１から電流を供給され、補助容量線ＣＳ１の電圧が、中間電圧になる。
【００７５】
続いて、補助容量線ＣＳ１における第３期間Ｔ３では、高電圧電源が高電圧配線ＶＨを介して補助容量線ＣＳ１に電流を供給することにより、補助容量線ＣＳ１の電圧が中間電圧から高電圧になる。
【００７６】
また、電極１０１Ｐの電圧が中間電圧になると、補助容量線ＣＳ２における第４期間Ｔ４では、高電圧になっていた補助容量線ＣＳ２から、中間電圧になった電極１０１Ｐをもつ制御容量１０１へ電流が引き込まれ、補助容量線ＣＳ２の電圧が、中間電圧になる。
【００７７】
続いて、補助容量線ＣＳ２における第１期間Ｔ１では、低電圧電源が低電圧配線ＶＬを介して補助容量線ＣＳ１に電流（負値）を供給することにより、補助容量線ＣＳ２の電圧を中間電圧から低電圧になる。
【００７８】
すなわち、第１期間、第３期間において高電圧電源、低電圧電源によりなされる補助容量線での電圧変化の幅が半減するのである。
【００７９】
チャートｓｗ３Ｍは、補助容量線ＣＳ３と電極１０１Ｐの間を開閉する第２開閉回路６が駆動されるタイミングを示し、チャートｓｗ４Ｍは、補助容量線ＣＳ４と電極１０１Ｐの間を開閉する第２開閉回路６が駆動されるタイミングを示している。
【００８０】
また、チャートＣｓ３は、補助容量線ＣＳ３の電圧を示し、チャートＣｓ４は、補助容量線ＣＳ２の電圧を示している。
【００８１】
高電圧電源、低電圧電源によりなされる電圧変化の幅が半減することは、チャートＣｓ３、チャートＣｓ４からも明らかである。
【００８２】
したがって、第２の実施の形態によれば、高電圧電源、低電圧電源によりなされる補助容量線での電圧変化の幅が半減し、それにより電流も半減し、補助容量線の電圧を変化させる際の電力消費量を半減させることができる。しかも、高電圧配線、低電圧配線での電圧降下が半減し、例えば、能力の低い高電圧電源、低電圧電源を使用した場合であっても、補助容量線を所望の電圧まで変化させることができる。
【図面の簡単な説明】
【００８３】
【図１】第１の実施の形態に係る液晶表示装置の構成を示す平面図である。
【図２】図１の液晶表示装置の動作を示すチャート図である。
【図３】第２の実施の形態に係る液晶表示装置の構成を示す平面図である。
【図４】図３の液晶表示装置の動作を示すチャート図である。
【図５】従来の液晶表示装置の構成を示す平面図である。
【図６】図５の液晶表示装置の動作を示すチャート図である。
【符号の説明】
【００８４】
１…液晶パネル
２…走査線駆動回路
３…信号線駆動回路
４…第１開閉回路
６、１０２…第２開閉回路
８…対向電極
９…外部駆動回路
１１…アレイ基板
１２…対向基板
１０１…制御容量
１０１Ｐ…電極
ＣＳ…補助容量線
Ｇ…走査線
Ｐ…画素電極
Ｑ…画素トランジスタ
Ｓ…信号線
Ｔ１…第１期間
Ｔ２…第２期間
Ｔ３…第３期間
Ｔ４…第４期間
ＶＨ…高電圧配線
ＶＬ…低電圧配線
【図１】
2009104050.tif 000003
【図２】
2009104050.tif 000004
【図３】
2009104050.tif 000005
【図４】
2009104050.tif 000006
【図５】
2009104050.tif 000007
【図６】
2009104050.tif 000008